(57)【要約】【課題】  逆潮流の発生原因に応じて常に負荷側の電圧を制御することのできる自動電圧調整器を提供する。【解決手段】  自動電圧調整器１の接地点における電力潮流の方向を検出する逆流継電器９と、逆流継電器９によって電力の逆潮流が検出された際、自動電圧調整器１の２次側の配電線に接続されるインピーダンス計測用の負荷１１と、自動電圧調整器１の２次側に流れる電流を検出する第１の計器用変流器７と、負荷１１が接続された際、負荷１１に流れる電流を検出する第２の計器用変流器１５、および、第２の計器用変流器１５による検出電流と負荷１１の接続前後における第１の計器用変流器７による検出電流の変化に基づいて算出される１次側配電系統のインピーダンスと２次側配電系統のインピーダンスの比から逆潮流の原因を判定する配電系統状態検出手段１３を備えて構成した。【選択図】        図１
2006042546.tif 000002
【特許請求の範囲】
【請求項１】
配電線路の途中に設置された負荷時タップ切換器による電圧調整変圧器のタップ切換え操作によって、負荷側電圧の調整を自動的に行う自動電圧調整器において、かかる自動電圧調整器の設置点における電力潮流の方向を検出する逆流継電器と、当該逆流継電器によって逆潮流が検出された際、前記自動電圧調整器の２次側の配電線に接続されるインピーダンス計測用の負荷と、前記自動電圧調整器の２次側に流れる電流を検出する第１の計器用変流器と、前記負荷が接続された際、前記負荷に流れる電流を検出する第２の計器用変流器、および、前記第２の計器用変流器による検出電流と前記負荷の接続前後における前記第１の計器用変流器による検出電流の変化に基づいて算出される１次側配電系統のインピーダンスと２次側配電系統のインピーダンスの比から前記逆潮流の原因を判定する配電系統状態検出手段を具備して構成したことを特徴とする自動電圧調整器。
【請求項２】
配電線路の途中に設置された負荷時タップ切換器による電圧調整変圧器のタップ切換え操作によって、負荷側電圧の調整を自動的に行う自動電圧調整器において、かかる自動電圧調整器の設置点における電力潮流の方向を検出する逆流継電器と、当該逆流継電器によって逆潮流が検出された際、前記電圧調整変圧器によって励磁される降圧用変圧器を介して配電線に接続されるインピーダンス計測用の負荷と、前記自動電圧調整器の２次側に流れる電流を検出する第１の計器用変流器と、前記負荷が接続された際、前記負荷に流れる電流を検出する第２の計器用変流器、および、前記第２の計器用変流器による検出電流と前記負荷の接続前後における前記第１の計器用変流器による検出電流の変化に基づいて算出される１次側配電系統のインピーダンスと２次側配電系統のインピーダンスの比から前記逆潮流の原因を判定する配電系統状態検出手段を具備して構成したことを特徴とする自動電圧調整器。
【請求項３】
前記配電系統状態検出手段は、その出力信号に応じて投入／投入解除されるスイッチング手段を具備し、前記逆流継電器の出力信号に応じて前記スイッチング手段を操作することにより、前記配電線に対する前記負荷の接続／非接続を切り換えるように構成したことを特徴とする請求項１，２記載の自動電圧調整器。
【請求項４】
前記配電系統状態検出手段は、前記スイッチング手段が投入された際、前記第１，２の計器用変流器にて検出される電流値を記憶させる記憶手段を備え、前記スイッチング手段の投入が解除されたとき前記第１の計器用変流器により検出される電流値と前記記憶手段に記憶した電流値とから前記インピーダンス比を算出する機能を具備して構成したことを特徴とする請求項３記載の自動電圧調整器。
【請求項５】
前記配電系統状態検出手段は、１次側配電系統のインピーダンスの２次側配電系統のインピーダンスに対する比が１より小さい場合は、前記自動電圧調整器の２次側に分散電源が連係したことに起因して前記逆潮流が発生したと判定し、前記１次側配電系統のインピーダンスの２次側配電系統のインピーダンスに対する比が１より大きい場合は、系統の切り換えにより前記自動電圧調整器の２次側に電源変電所が接続されたことに起因して前記逆潮流が発生したと判定する機能を具備して構成したことを特徴とする請求項１ないし４記載の自動電圧調整器。
【請求項６】
請求項５記載の自動電圧調整器において、当該自動電圧調整器の２次側電圧を検出する計器用変圧器と、前記２次側電圧を整定値に保持する電圧調整継電器を具備し、前記配電系統状態検出手段による逆潮流発生原因の判定が、前記自動電圧調整器の２次側に分散電源が連係したことに起因する場合、負荷時タップ切換器が前記電圧調整変圧器のタップを予め整定されたタップに固定することを禁止して、前記２次側電圧の自動調整を行い、また、前記配電系統状態検出手段による逆潮流発生原因の判定が、前記自動電圧調整器の２次側に電源変電所が接続されたことに起因する場合、負荷時タップ切換器が電圧調整変圧器のタップを予め整定されたタップに固定するように制御するように構成したことを特徴とする自動電圧調整器。
【発明の詳細な説明】
【技術分野】
【０００１】
本発明は、配電系統に設置される自動電圧調整器において、配電系統の系統切換えや、分散電源との連係によって前記自動電圧調整器に逆潮流が生じた場合、前記自動電圧調整器の１次側と２次側の何れに電源変電所が接続されているかを即座に判断して、配電系統の状態を正確に把握することにより、常に負荷側の電圧調整を適正に行うことのできる自動電圧調整器に関する。
【背景技術】
【０００２】
従来の配電系統では、配電線の電圧制御を目的として配電線路の途中に設置される自動電圧調整器（以下、ＳＶＲという）の設置点における電力潮流が逆潮流となる条件は、配電系統における系統の切り換えが行われた場合が想定されており、１次側に接続されていた変電所が前記配電系統の切換え動作によって２次側に接続されることにより、ＳＶＲの２次側から１次側に向かって電力が供給されると考えられてきた。
【０００３】
しかし、近年、太陽光発電装置等の自家発電設備が普及するにしたがって、これらの設備が分散電源として配電系統と連係されるようになった。この結果、ＳＶＲの１次側に変電所が存在している系統でも分散電源の容量と負荷容量との関係から、ＳＶＲ設置点の電力潮流が逆潮流となる場合がある。
【０００４】
従来のＳＶＲには、電力の順送時に２次側の電圧を目標電圧に保持する構成のものがあり、この種のＳＶＲは、上記のように配電系統の切換えや分散電源の連係によってその設置点に電力の逆潮流が生じた場合、タップを固定制御するものが存在する（特許文献１参照）。
【特許文献１】特公平２−３５３２６号公報
【発明の開示】
【発明が解決しようとする課題】
【０００５】
然るに、この種のＳＶＲが配電系統に設置された状態で、ＳＶＲの設置点に逆潮流が生じて、タップの固定制御を実行した場合、配電系統の電圧に異常が発生することは阻止できるが、前記逆潮流が２次側に接続した分散電源に起因（自家発電設備等の出力が２次側に接続した負荷より大きい場合等）して発生した場合、タップを固定制御することによって、２次側に接続された負荷の電圧調整動作を停止してしまうという問題があった。
【０００６】
本発明は、このような問題点に鑑み、配電系統に設置された自動電圧調整器の設置点に逆潮流が生じた場合、前記自動電圧調整器の１次側と２次側のどちらに変電所および負荷が接続されているかを判定して、確実に負荷側の電圧調整を常時適正に実行することのできる自動電圧調整器を提供する。
【課題を解決するための手段】
【０００７】
第１の局面によれば、配電線路の途中に設置された負荷時タップ切換器による電圧調整変圧器のタップ切換え操作によって、負荷側電圧の調整を自動的に行う自動電圧調整器において、かかる自動電圧調整器の設置点における電力潮流の方向を検出する逆流継電器と、当該逆流継電器によって逆潮流が検出された際、前記自動電圧調整器の２次側の配電線に接続されるインピーダンス計測用の負荷と、前記自動電圧調整器の２次側を流れる電流を検出する第１の計器用変流器と、前記負荷が接続された際、前記負荷に流れる電流を検出する第２の計器用変流器、および、前記第２の計器用変流器による検出電流と前記負荷の接続前後における前記第１の計器用変流器による検出電流の変化に基づいて算出される１次側配電系統のインピーダンスと２次側配電系統のインピーダンスの比から前記逆潮流の原因を判定する配電系統状態検出手段を具備して構成した。
【０００８】
第２の局面によれば、配電線路の途中に設置された負荷時タップ切換器による電圧調整変圧器のタップ切換え操作によって、負荷側電圧の調整を自動的に行う自動電圧調整器において、かかる自動電圧調整器の設置点における電力潮流の方向を検出する逆流継電器と、当該逆流継電器によって逆潮流が検出された際、前記電圧調整変圧器によって励磁される降圧用変圧器を介して配電線に接続されるインピーダンス計測用の負荷と、前記自動電圧調整器の２次側を流れる電流を検出する第１の計器用変流器と、前記負荷が接続された際、前記負荷に流れる電流を検出する第２の計器用変流器、および、前記第２の計器用変流器による検出電流と前記負荷の接続前後における前記第１の計器用変流器による検出電流の変化に基づいて算出される１次側配電系統のインピーダンスと２次側配電系統のインピーダンスの比から前記逆潮流の原因を判定する配電系統状態検出手段を具備して構成した。
【０００９】
第３の局面によれば、第１，２の局面において、前記配電系統状態検出手段は、その出力信号に応じて投入／解除されるスイッチング手段を具備し、前記逆流継電器の出力信号に応じて前記スイッチング手段を操作することにより、前記配電線に対する前記負荷の接続／非接続を切り換えるように構成した。
【００１０】
第４の局面によれば、第３の局面において、前記配電系統状態検出手段は、前記スイッチング手段が投入された際、前記第１，２の計器用変流器にて検出される電流値を記憶させる記憶手段を備え、前記スイッチング手段の投入が解除されたとき前記第１の計器用変流器により検出される電流値と前記記憶手段に記憶した電流値とから前記インピーダンス比を算出する機能を具備して構成した。
【００１１】
第５の局面によれば、第１ないし４の局面において、前記配電系統状態検出手段は、１次側配電系統のインピーダンスの２次側配電系統のインピーダンスに対する比が１より小さい場合は、前記自動電圧調整器の２次側に分散電源が連係したことに起因して前記逆潮流が発生したと判定し、前記１次側配電系統のインピーダンスの２次側配電系統のインピーダンスに対する比が１より大きい場合は、系統の切り換えにより前記自動電圧調整器の２次側に電源変電所が接続されたことに起因して前記逆潮流が発生したと判定する機能を具備して構成した。
【００１２】
第６の局面によれば、第５の局面において、自動電圧調整器の２次側電圧を検出する計器用変圧器と、前記２次側電圧を整定値に保持する電圧調整継電器を具備し、前記配電系統状態検出手段による逆潮流発生原因の判定が、前記自動電圧調整器の２次側に分散電源が連係したことに起因する場合、負荷時タップ切換器が前記電圧調整変圧器のタップを予め整定されたタップに固定することを禁止して、前記２次側電圧の自動調整を行い、また、前記配電系統状態検出手段による逆潮流発生原因の判定が、前記自動電圧調整器の２次側に電源変電所が接続されたことに起因する場合、負荷時タップ切換器が電圧調整変圧器のタップを予め整定されたタップに固定するように制御するように構成した。
【発明の効果】
【００１３】
請求項１記載の発明によれば、逆流継電器によって自動電圧調整器の設置点に逆潮流が生じたことを検出した場合、自動電圧調整器の２次側の配電線に負荷を接続して、前記負荷に流れる電流と自動電圧調整器の２次側電流を検出し、次に、前記負荷の接続を解除したときの前記２次側電流を検出することにより、これら電流値から１次側配電系統のインピーダンスと２次側配電系統のインピーダンスの比を算出することができるので、既存の自動電圧調整器に、前記電流を検出する計器用変流器とインピーダンス比を算出する配電系統状態検出手段を付加的に備えることによって、前記インピーダンス比から自動電圧調整器の設置点における逆潮流の原因を簡単，確実に解明することができ、有効である。
【００１４】
請求項２記載の発明によれば、逆流継電器によって自動電圧調整器の設置点に逆潮流が生じたことを検出した場合、自動電圧調整器の電圧調整変圧器によって励磁される降圧用変圧器を介して配電線に負荷を接続して、前記負荷に流れる電流と自動電圧調整器の２次側電流を検出し、次に、前記負荷の接続を解除したときの前記２次側電流を検出することにより、これら電流値から１次側配電系統のインピーダンスと２次側配電系統のインピーダンスの比を算出することができるので、前記負荷を自動電圧調整器内に一体的に組み込むことが可能となり、自動電圧調整器の小型化を図りつつ、算出したインピーダンス比から自動電圧調整器の設置点における逆潮流の原因を簡単，確実に解明することができ、有効である
【００１５】
請求項３記載の発明によれば、自動電圧調整器の設置点に逆潮流が生じた際、その出力信号によってスイッチング手段を一旦投入して配電線にインピーダンス計測用の負荷を接続し、所定の制御を実行した後、再び前記スイッチング手段の投入状態を解除する構成であるので、非常に簡易な構成により前記インピーダンス計測用負荷の接続と接続解除を切り換えることができ、利便である。
【００１６】
請求項４記載の発明によれば、所要なデータを記憶するための記憶手段を備えて構成したので、インピーダンス計測用の負荷が接続されたときの２次側電流と前記負荷に流れる電流を一旦記憶しておき、この負荷の接続を解除したときの前記２次側電流と前記記憶手段に記憶させた２次側電流および負荷電流に基づいて、１次側配電系統のインピーダンスと２次側配電系統のインピーダンスの比を算出することが可能となる。
【００１７】
請求項５記載の発明によれば、算出した前記インピーダンス比が１より大きいか小さいかによって自動電圧調整器の１次側と２次側のどちらに変電所および負荷が接続されているかを判定することができ、逆潮流が生じた原因が系統切換えによるものであるか分散電源との連係に起因するものであるかを確実に判別することが可能となる。
【００１８】
請求項６記載の発明によれば、前記逆潮流の発生原因が自動電圧調整器の２次側に分散電源が連係したことに起因する場合、負荷時タップ切換器によって電圧調整継電器のタップを整定タップに固定することを禁止して、２次側の電圧を整定値に近づける制御を停止することなく続行し、また、前記逆潮流の発生原因が、配電系統の系統切換えによって変電所が２次側に接続されたことに起因するものである場合、負荷時タップ切換器によって電圧調整変圧器のタップを整定タップに固定するように制御することによって、常に負荷側の電圧を制御することができ、効果的である。
【実施例】
【００１９】
以下、本発明の実施の形態を図１ないし図３により説明する。図１は、本発明の自動電圧調整器（以下、ＳＶＲという）１を示す回路図であり、図１において、２はタップ付の電圧調整変圧器を示している。
【００２０】
３および４はそれぞれ電圧調整変圧器２の１次側および２次側に接続された配電線であり、５は電圧調整変圧器２のタップを切り換える負荷時タップ切換器を示している。６は前記ＳＶＲ１の２次側電圧を検出する計器用変圧器であり、７はＳＶＲ１の２次側に接続した配電線４に流れる電流（以下、２次側電流という）を検出する第１の計器用変流器である。
【００２１】
８は計器用変圧器６によって検出されるＳＶＲ１の２次側の電圧を整定値に保つように負荷時タップ切換器５に切換指令を与える電圧調整継電器（９０リレー）であり、９は計器用変圧器６の出力と第１の計器用変流器７の出力とを入力としてＳＶＲ１の設置点における電力潮流の方向を検出する逆流継電器（６７リレー）を示している。
【００２２】
すなわち、図１に示すＳＶＲ１は、上記電圧調整変圧器２と、負荷時タップ切換器５、計器用変圧器６、第１の計器用変流器７、電圧調整継電器８と、逆流継電器９を備えて構成されており、順潮流時は２次側電圧を制御し、逆潮流時は、予め整定されたタップに固定制御する。
【００２３】
１０は前記ＳＶＲ１に附属する配電系統状態検出装置であり、該配電系統状態検出装置１０は、負荷１１と後述するスイッチング手段を使用可能な電圧に降圧する変圧器（以下、降圧用変圧器という）１２と、負荷１１を前記降圧用変圧器１２を介して配電線４に接続したときに当該負荷１１に流れる電流（以下、負荷電流という）と、負荷１１の接続前後における２次側電流に基づいて、１次側配電系統のインピーダンスと２次側配電系統のインピーダンスの比を算出する配電系統状態検出手段１３と、該配電系統状態検出手段１３の出力に応じて、負荷１１と配電線４の接続と接続解除を切り換えるスイッチング手段１４、配電線４と降圧用変圧器１２間に具備されて、負荷１１に流れる電流を検出する第２の計器用変流器１５、および、２次側電流を検出して配電系統状態検出手段１３に入力する第３の計器用変流器１６を備えて構成されている。
【００２４】
つづいて、前記配電系統状態検出装置１０を具備した自動電圧調整器（ＳＶＲ）１の動作について説明する。まず、前記ＳＶＲ１が単独で動作する場合について説明する。図１に示すＳＶＲ１の逆流継電器９は、ＳＶＲ１の２次側の電圧位相を基準にして電流位相を監視することによって、ＳＶＲ１の設置点における電力潮流の順送と逆送の判定を行っている。
【００２５】
電圧調整継電器８は、計器用変圧器６の出力電圧からＳＶＲ１の２次側電圧を検出して、逆流継電器９の出力結果によって電力潮流が順送のときは２次側電圧を整定値に近づけるように負荷時タップ切換器５にタップの切換指令を与える。
【００２６】
負荷時タップ切換器５は、電圧調整継電器８のタップ切換指令に基づき、電圧調整変圧器２のタップを切り換えて、ＳＶＲ１の２次側電圧を電圧調整継電器８の整定値に近づけるように電圧を調整する。
【００２７】
すなわち、電力潮流が順送時にＳＶＲ１の２次側電圧が整定値より低い場合には、電圧調整継電器８から負荷時タップ切換器５に昇圧指令が与えられ、この結果、前記負荷時タップ切換器５は、電圧調整変圧器２のタップを昇圧側に切り換えて、２次側電圧を整定値に近づけるように電圧を調整する。
【００２８】
また、ＳＶＲ１の２次側電圧が整定値より高い場合には、電圧調整継電器８から負荷時タップ切換器５に降圧指令が与えられ、電圧調整変圧器２はタップを降圧側に切り換えることにより、２次側電圧を整定値に近づけるように電圧調整する。
【００２９】
一方、前記ＳＶＲ１を設置した配電系統の系統切換えによって配電線３側の電源変電所が切り離され、配電線４側に存在する電源変電所によってＳＶＲ１の２次側の配電線４側からＳＶＲ１の１次側の配電線３側に電力潮流が逆送された場合、逆流継電器９は、計器用変圧器６の出力と第１の計器用変流器７の出力を入力してＳＶＲ１の設置点における電力潮流の方向を検出する。
【００３０】
そして、前記逆流継電器９によって逆潮流が検出された場合、当該逆流継電器９は、負荷時タップ切換器５にタップの切換指令を与え、電圧調整変圧器２のタップを予め整定されたタップに固定する。
【００３１】
つまり、図１に示すＳＶＲ１は、単独でも逆流継電器９によって電力潮流の方向を検出し、順送状態が検出された場合は、ＳＶＲ１の２次側電圧を制御し、また、逆送状態が検出された場合は、電圧調整変圧器２のタップを予め整定されたタップ（整定タップ）に固定して、１次側電圧が異常となることを阻止するように制御される。
【００３２】
しかしながら、電力潮流の逆潮流が系統切換えに起因するものではなく分散電源の連係に起因する場合において、上記のようにＳＶＲ１が予め整定されたタップに固定する制御を実行した場合、前記［背景技術］欄で説明した従来技術と同様に、配電系統の電圧に異常が発生することは阻止できるが、２次側に接続された負荷の電圧調整動作を停止してしまうことになる。
【００３３】
そこで、前記ＳＶＲ１に図１に示す配電系統状態検出装置１０を具備することにより、逆潮流の原因が系統の切換えに起因するものであるか、分散電源に起因するものであるかを判定して、その原因が系統の切り換えによるものである場合は、タップの固定制御を行い、分散電源によるものである場合は、２次側電圧制御を行うように構成した。
【００３４】
つまり、図１に示すＳＶＲ１を構成する計器用変圧器６の出力と第１の計器用変流器７の出力に基づき、逆流継電器９によってＳＶＲ１の設置点における電力の潮流方向を検出（図２のステップＳ１）した結果、逆潮流が生じている場合、配電系統状態検出手段１３は逆流継電器９の出力信号から逆潮流が生じていることを把握して、図２のステップＳ２において、スイッチング手段１４をオン（投入）して、負荷１１を降圧用変圧器１２を介して配電線４に接続する。
【００３５】
これにより、負荷１１に流れる電流Ｉ２が第２の計器用変流器１５によって検出され、また、負荷１１接続時の２次側電流Ｉ１´は第１の計器用変流器７から第３の計器用変流器１６を介して検出され（図２のステップＳ３）、それぞれ配電系統状態検出手段１３内に具備した図示しない記憶手段に記憶される（図２のステップＳ４）。
【００３６】
前記記憶手段に電流値Ｉ２，Ｉ１´が記憶されると、前記配電系統状態検出手段１３は、図２に示すステップＳ５において、スイッチング手段１４の投入状態をオフ（投入解除）して、負荷１１を配電線４から切り離す。
【００３７】
これにより、前記２次側電流の値は変化するので、配電系統状態検出手段１３は、第３の計器用変流器１６によって、値が変化した後の２次側電流Ｉ１を再度検出して取り込む（図２のステップＳ６）ことにより、先に前記記憶手段（図示せず）に記憶させた電流値Ｉ２，Ｉ１´と合わせて、ＳＶＲ１の２次側配電系統のインピーダンスＺ２に対する１次側配電系統のインピーダンスＺ１の比を次式によって算出する（図２のステップＳ７）。
【００３８】
【数１】
2006042546.tif 000003
【００３９】
そして、図２のステップＳ８において、前記［数１］によって算出したインピーダンス比（Ｚ１／Ｚ２）が１より大きいか小さいかを判定し、その結果、前記インピーダンス比（Ｚ１／Ｚ２）が１より小さい場合は、ステップＳ９に移行して、図１に示す逆流継電器９は配電系統状態検出手段１３の出力信号を受けて、負荷時タップ切換器５にタップの切換え指令を与えて、電圧調整変圧器２のタップを予め整定されたタップ（整定タップ）に固定することを禁止する。
【００４０】
つまり、前記インピーダンス比（Ｚ１／Ｚ２）が１より小さい場合は、ＳＶＲ１の設置点における逆潮流の原因が分散電源との連係に起因するものであり、電源変電所はＳＶＲ１の１次側に存在すると判断して、ＳＶＲ１の２次側電圧を整定値に近づけるように電圧の自動調整を行う。
【００４１】
一方、前記ステップＳ８において、前記［数１］によって算出したインピーダンス比（Ｚ１／Ｚ２）が１より大きい場合は、ステップＳ１０に移行して、図１に示す逆流継電器９は配電系統状態検出手段１３の出力信号を受けて、負荷時タップ切換器５にタップの切換指令を与えることにより、電圧調整変圧器２のタップを予め整定されたタップ（整定タップ）に固定し、配電線３，４の電圧が異常になることを阻止するように制御する。
【００４２】
つまり、前記インピーダンス比（Ｚ１／Ｚ２）が１より大きい場合は、配電系統の系統切換えによって電源変電所がＳＶＲ１の２次側に接続されたことによりＳＶＲ１の設置点において逆潮流が発生したものと判断して、整定タップに固定する制御を行うのである。
【００４３】
なお、前記インピーダンス比（Ｚ１／Ｚ２）と数値１との大小比較によって電源変電所がＳＶＲ１の１次側と２次側のどちらに接続されているかを判定できる理由は以下に記すとおりである。
【００４４】
つまり、一般的に電源変電所の系統容量は非常に大きいため、無限大母線とみなすことができる。したがって、前記インピーダンス比（Ｚ１／Ｚ２）が１より小さい場合は、ＳＶＲ１の１次側が無限大母線（電源変電所）に接続されていると判断することができ、前記インピーダンス比（Ｚ１／Ｚ２）が１より大きい場合は、ＳＶＲ１の２次側が無限大母線（電源変電所）に接続されていると判断することができるのである。
【００４５】
また、ステップＳ１で逆潮流が検出されない場合は、ステップＳ１１に移行して、２次側電圧の自動制御を行う。
【００４６】
図３は本発明の他の実施例における自動電圧調整器（ＳＶＲ）１Ａの回路構成図を示している。図３に示すＳＶＲ１Ａは、電圧調整変圧器２によって励磁される降圧用変圧器１２を備え、この降圧用変圧器１２に、配電系統状態検出手段１３からの指令により動作するスイッチング手段１４のオン／オフに応じて、降圧用変圧器１２を介して配電線４に接続／非接続される負荷１１を具備して構成されている。
【００４７】
また、第２の計器用変流器１５は、降圧用変圧器１２と負荷１１との間に取り付けられ、前記配電系統状態検出手段１３は、この第２の計器用変流器１５によって前記負荷１１に流れる電流を検出して取り込む。以下に、前記ＳＶＲ１Ａの動作について説明する。
【００４８】
図３に示すＳＶＲ１Ａは、計器用変圧器６の出力と第１の計器用変流器７の出力に基づき、逆流継電器９によってＳＶＲ１Ａの設置点における電力の潮流方向を検出（図２のステップＳ１）した結果、逆潮流が生じている場合、配電系統状態検出手段１３は逆流継電器９の出力信号から逆潮流が生じていることを把握して、図２のステップＳ２において、スイッチング手段１４をオン（投入）し、負荷１１を降圧用変圧器１２を介して配電線４に接続する。
【００４９】
これにより、負荷１１に流れる電流Ｉ２が第２の計器用変流器１５によって検出され、また、負荷１１接続時の２次側電流Ｉ１´は第１の計器用変流器７によって検出され（図２のステップＳ３）、それぞれ配電系統状態検出手段１３の図示しない記憶手段に記憶される（図２のステップＳ４）。
【００５０】
前記配電系統状態検出手段１３に電流値Ｉ２，Ｉ１´が記憶されると、前記配電系統状態検出手段１３は、図２に示すステップＳ５において、スイッチング手段１４の投入状態をオフ（投入解除）して、負荷１１を配電線４から切り離す。
【００５１】
これにより、前記２次側電流の値は変化するので、配電系統状態検出手段１３は、第１の計器用変流器７によって、値が変化した後の２次側電流Ｉ１を再度検出して取り込む（図２のステップＳ６）ことにより、先に記憶させた電流値Ｉ２，Ｉ１´と合わせて、ＳＶＲ１Ａの２次側配電系統のインピーダンスＺ２に対する１次側配電系統のインピーダンスＺ１の比を次式によって算出する（図２のステップＳ７）。
【００５２】
【数２】
2006042546.tif 000004
【００５３】
そして、図２のステップＳ８において、前記［数２］によって算出したインピーダンス比（Ｚ１／Ｚ２）が１より大きいか小さいかを判定し、その結果、前記インピーダンス比（Ｚ１／Ｚ２）が１より小さい場合は、ステップＳ９に移行して、図３に示す逆流継電器９は配電系統状態検出手段１３の出力信号を受けて、負荷時タップ切換器５にタップの切換え指令を与えて、電圧調整変圧器２のタップを予め整定されたタップ（整定タップ）に固定することを禁止し、２次側電圧を整定値に近づけるべく電圧の自動調整を行う。
【００５４】
一方、前記ステップＳ８において、前記［数２］によって算出したインピーダンス比（Ｚ１／Ｚ２）が１より大きい場合は、ステップＳ１０に移行して、図３に示す逆流継電器９は、配電系統状態検出手段１３の出力信号を受けて、負荷時タップ切換器５にタップの切換指令を与えることにより、電圧調整変圧器２のタップを予め整定されたタップ（整定タップ）に固定し、配電線の電圧が異常になることを阻止するように制御する。
【００５５】
また、ステップＳ１で逆潮流が検出されない場合は、ステップＳ１１に移行して、２次側電圧の自動制御を行う。
【００５６】
つまり、図３に示すＳＶＲ１Ａは、電圧調整変圧器２によって励磁される降圧用変圧器１２を備えて、これにスイッチング手段１４を介して負荷１１を接続するように構成したので、図１に示すＳＶＲ１と配電系統状態検出装置１０の一体化および装置自体の小型化を簡単，確実に実現することができ、非常に有効である。
【００５７】
なお、図３に示すＳＶＲ１Ａにおいても、前記インピーダンス比（Ｚ１／Ｚ２）と数値１との大小比較から、電源変電所がＳＶＲ１Ａの１次側と２次側のどちらに接続されているかを判定できる理由は、図１に示す場合と同様であるので、説明は割愛する。
【００５８】
以上説明したように、本発明の自動電圧調整器（ＳＶＲ）１，１Ａは、ＳＶＲ１，１Ａの設置点において逆潮流が生じた場合、これが配電系統の系統切り換えによるものか、分散電源に起因するものかを確実に判別し、系統切り換えによるものである場合は、ＳＶＲ１，１Ａのタップを整定タップに固定する制御を実行し、また、前記逆潮流の発生原因が分散電源に起因するものである場合は、ＳＶＲ１，１Ａの２次側電圧を自動調整することにより前記２次側電圧を整定値に近づける制御を実行する構成であるので、従前のように、電源変電所が１次側に接続された状態でタップの固定制御を実施した結果、２次側に接続された負荷の電圧調整動作を停止してしまうといった問題の発生を完全に防止することができる。
【００５９】
さらに、電圧調整変圧器２によって励磁される降圧用変圧器１２と、これにスイッチング手段１４を介して接続される負荷１１を備えて構成することにより、ＳＶＲ１と配電系統状態検出装置１０を一体的に、且つ、小型に形成したＳＶＲ１Ａの提供が可能となり、非常に有効である。
【産業上の利用可能性】
【００６０】
本発明によれば、計器用変圧器の出力と第１の計器用変流器の出力に基づき逆流継電器によって逆潮流の発生を検出した場合、配電系統状態検出手段の指令に応じてスイッチング手段を投入して、負荷を降圧用変圧器を介して配電線に接続する。このとき、負荷に流れる電流を第２の計器用変流器によって検出し、また、第１の計器用変流器によって検出したＳＶＲの２次側電流とともに配電系統状態検出手段の記憶手段に記憶させる。その後、前記配電系統状態検出手段は、前記スイッチング手段の投入状態を解除することによって変化した前記２次側電流を第１の計器用変流器にて検出して取得し、先に前記記憶手段に記憶させた電流値とともに１次側配電系統のインピーダンスと２次側配電系統のインピーダンスの比を算出することができる。このインピーダンス比からＳＶＲの設置点における逆潮流が、系統切り換えによるものか分散電源との連係によるものかを確実に判別することが可能となる。つまり、逆潮流の発生原因を特定することが可能となるので、その発生原因に応じて、常に負荷側の電圧制御を行うことができるのである。以って、負荷側電圧を常時、適切に制御することが可能な自動電圧調整器の提供が実現できる。
【図面の簡単な説明】
【００６１】
【図１】本発明の自動電圧調整器の回路構成図である。
【図２】前記自動電圧調整器の動作を説明するフローチャート図である。
【図３】本発明の他の実施例における自動電圧調整器の回路構成図である。
【符号の説明】
【００６２】
１，１Ａ  自動電圧調整器
２  電圧調整変圧器
３，４  配電線
５  負荷時タップ切換器
６  計器用変圧器
７  第１の計器用変流器
８  電圧調整継電器
９  逆流継電器
１０  配電系統状態検出装置
１１  負荷
１２  降圧用変圧器
１３  配電系統状態検出手段
１４  スイッチング手段
１５  第２の計器用変流器
１６  第３の計器用変流器
【図１】
2006042546.tif 000005
【図２】
2006042546.tif 000006
【図３】
2006042546.tif 000007